(57)【要約】      （修正有）【課題】フェルールの後退時にはフェルールとハウジングとの間にあそびを設けつつ、コネクタ接続前には、フェルールをハウジングに対して所定位置に配置させること。【解決手段】本開示の光コネクタ１は、光ファイバの端部を保持するフェルール１０と、前記フェルールを後退可能に収容するハウジングと３０を備える。前記フェルールの上面には、一対の上側傾斜面１４Ａが形成されており、前記フェルールの下面には、一対の下側傾斜面１４Ｂが形成されている。前記一対の上側傾斜面は、どちらも前方向及び上方向を向いているとともに、幅方向には互いに逆方向を向いている。前記一対の下側傾斜面は、どちらも前方向及び下方向を向いているとともに、幅方向には互いに逆方向を向いている。【選択図】図２
2019066723.tif 000002
【特許請求の範囲】
【請求項１】
光ファイバの端部を保持するフェルールと、
前記フェルールを後退可能に収容するハウジングと
を備えた光コネクタであって、
前記フェルールの上面には、一対の上側傾斜面が形成されており、
前記フェルールの下面には、一対の下側傾斜面が形成されており、
前記一対の上側傾斜面は、どちらも前方向及び上方向を向いているとともに、幅方向には互いに逆方向を向いており、
前記一対の下側傾斜面は、どちらも前方向及び下方向を向いているとともに、幅方向には互いに逆方向を向いており、
前記フェルールは、前側に押圧された状態で、前記一対の上側傾斜面及び前記一対の下側傾斜面が前記ハウジングの内壁面に形成された傾斜面に接触して、前記ハウジングに収容されている
ことを特徴とする光コネクタ。
【請求項２】
請求項１に記載の光コネクタであって、
前記フェルールの前記一対の上側傾斜面及び前記一対の下側傾斜面は、前記フェルールの前縁に設けられていることを特徴とする光コネクタ。
【請求項３】
請求項１又は２に記載の光コネクタであって、
前記フェルールの前記上面及び前記下面には、それぞれ凹部が形成されており、
前記一対の上側傾斜面及び前記一対の下側傾斜面は、前記凹部を構成する側面として形成されていることを特徴とする光コネクタ。
【請求項４】
請求項３に記載の光コネクタであって、
前記フェルールは、一対のガイドピン穴を有し、
前記凹部は、前記フェルールの前縁に設けられており、
前記凹部の前記幅方向の位置は、前記一対のガイドピン穴の間であることを特徴とする光コネクタ。
【請求項５】
請求項１又は２に記載の光コネクタであって、
前記フェルールの前記上面及び前記下面には、それぞれ凸部が形成されており、
前記一対の上側傾斜面及び前記一対の下側傾斜面は、前記凸部の側面として形成されていることを特徴とする光コネクタ。
【請求項６】
請求項１に記載の光コネクタであって、
前記一対の上側傾斜面及び前記一対の下側傾斜面は、前記フェルールの鍔部に設けられていることを特徴とする光コネクタ。
【請求項７】
光ファイバの端部を保持し、前側に押圧された状態で光コネクタのハウジングに後退可能に収容されるフェルールであって、
上面に形成され、前記ハウジングの内壁面に接触する一対の上側傾斜面と、
下面に形成され、前記ハウジングの内壁面に接触する一対の下側傾斜面と、
を備え、
前記一対の上側傾斜面は、どちらも前方向及び上方向を向いているとともに、幅方向には互いに逆方向を向いており、
前記一対の下側傾斜面は、どちらも前方向及び下方向を向いているとともに、幅方向には互いに逆方向を向いている
ことを特徴とするフェルール。
【発明の詳細な説明】
【技術分野】
【０００１】
本発明は、光コネクタ及びフェルールに関する。
【背景技術】
【０００２】
光コネクタの一例として、例えばＭＰＯコネクタ（ＪＩＳ  Ｃ５９８２規定のＦ１３形多心光ファイバコネクタ）が知られている。この光コネクタのフェルールは、後退可能にハウジングに収容されている。詳しくは、フェルールは弾性部材によって前側（相手側の光コネクタの側）に押圧されており、ハウジングの突起とフェルールの鍔部（フランジ部）とが接することによってフェルールの前抜けが防止されている。光コネクタを相手側の光コネクタと接続する時（以下、コネクタ接続時）、フェルールは、ガイドピンによって、相手側の光コネクタのフェルールに対して位置決めされる。また、コネクタ接続時に、フェルールの端面同士が突き合わせられて、このとき、フェルールがハウジング内で後退することになる。
【先行技術文献】
【特許文献】
【０００３】
【特許文献１】国際公開ＷＯ２０１１／０８７０７７号公報
【特許文献２】特表２０１３−５２２６９２号公報
【発明の概要】
【発明が解決しようとする課題】
【０００４】
上記の通り、フェルールは、コネクタ接続時にハウジングに対して後退することになる。このようにフェルールをハウジングに対して後退可能に構成する場合、フェルールとハウジングとの間には、上下方向及び左右方向（前後方向に垂直な方向）にあそび（移動可能な余裕、間隙）を設ける必要がある。
一方、フェルールが、ハウジングに対して、上下方向又は左右方向にずれて配置されていると、フェルールの端面同士を突き合せる際に、ガイドピンがピン穴に嵌合しにくくなったり、ガイドピンによってフェルールの端面が傷ついたりするおそれがある。このため、コネクタ接続前の段階では、フェルールは、ハウジングに対して上下方向及び左右方向の所定位置（前後方向に垂直な方向の所定位置）にあることが望ましい。
【０００５】
本発明は、フェルールの後退時にはフェルールとハウジングとの間にあそびを設けつつ、コネクタ接続前には、フェルールをハウジングに対して所定位置に配置させることを目的とする。
【課題を解決するための手段】
【０００６】
上記目的を達成するための主たる発明は、光ファイバの端部を保持するフェルールと、前記フェルールを後退可能に収容するハウジングとを備えた光コネクタであって、前記フェルールの上面には、一対の上側傾斜面が形成されており、前記フェルールの下面には、一対の下側傾斜面が形成されており、前記一対の上側傾斜面は、どちらも前方向及び上方向を向いているとともに、幅方向には互いに逆方向を向いており、前記一対の下側傾斜面は、どちらも前方向及び下方向を向いているとともに、幅方向には互いに逆方向を向いており、前記フェルールは、前側に押圧された状態で、前記一対の上側傾斜面及び前記一対の下側傾斜面が前記ハウジングの内壁面に形成された傾斜面に接触して、前記ハウジングに収容されていることを特徴とする光コネクタである。
【０００７】
本発明の他の特徴については、後述する明細書及び図面の記載により明らかにする。
【発明の効果】
【０００８】
本発明によれば、フェルールの後退時にはフェルールとハウジングとの間にあそびを設けつつ、コネクタ接続前には、フェルールをハウジングに対して所定位置に配置させることができる。
【図面の簡単な説明】
【０００９】
【図１】図１Ａは、第１実施形態の光コネクタ１の全体構成を示す斜視図である。図１Ｂは、図１Ａのハウジング３０とカップリング２５を透過させた説明図である。
【図２】図２Ａは、光コネクタ１の先端部の斜視図である。図２Ｂは、フェルール１０の斜視図である。図２Ｃは、ハウジング３０及びカップリング２５の先端部の斜視図である。
【図３】図３Ａは、コネクタ接続前のハウジング３０内のフェルール１０の概略説明図である。図３Ｂは、コネクタ接続時のハウジング３０内のフェルール１０の概略説明図である。
【図４】図４Ａは、第２実施形態のフェルール１０とハウジング３０の斜視図である。図４Ｂは、第３実施形態のフェルール１０とハウジング３０の斜視図である。図４Ｃは、第４実施形態のフェルール１０とハウジング３０の斜視図である。
【発明を実施するための形態】
【００１０】
後述する明細書及び図面の記載から、少なくとも以下の事項が明らかとなる。
【００１１】
光ファイバの端部を保持するフェルールと、前記フェルールを後退可能に収容するハウジングとを備えた光コネクタであって、前記フェルールの上面には、一対の上側傾斜面が形成されており、前記フェルールの下面には、一対の下側傾斜面が形成されており、前記一対の上側傾斜面は、どちらも前方向及び上方向を向いているとともに、幅方向には互いに逆方向を向いており、前記一対の下側傾斜面は、どちらも前方向及び下方向を向いているとともに、幅方向には互いに逆方向を向いており、前記フェルールは、前側に押圧された状態で、前記一対の上側傾斜面及び前記一対の下側傾斜面が前記ハウジングの内壁面に形成された傾斜面に接触して、前記ハウジングに収容されていることを特徴とする光コネクタが明らかとなる。このような光コネクタによれば、フェルールの後退時にはフェルールとハウジングとの間にあそびを設けつつ、コネクタ接続前には、フェルールをハウジングに対して所定位置に配置させることができる。
【００１２】
前記フェルールの前記一対の上側傾斜面及び前記一対の下側傾斜面は、前記フェルールの前縁に設けられていることが望ましい。これにより、上側傾斜面及び下側傾斜面をフェルールの前側端面の近くに配置させることができるため、コネクタ接続前には、フェルールの前側端面を所定位置に配置させやすくなる。
【００１３】
前記フェルールの前記上面及び前記下面には、それぞれ凹部が形成されており、前記一対の上側傾斜面及び前記一対の下側傾斜面は、前記凹部を構成する側面として形成されていることが望ましい。これにより、簡易な形状で、フェルールの上面及び下面にそれぞれ一対の傾斜面を形成することができる。
【００１４】
前記フェルールは、一対のガイドピン穴を有し、前記凹部は、前記フェルールの前縁に設けられており、前記凹部の前記幅方向の位置は、前記一対のガイドピン穴の間であることが望ましい。これにより、フェルールの厚さ方向の寸法を抑制できる。
【００１５】
前記フェルールの前記上面及び前記下面には、それぞれ凸部が形成されており、前記一対の上側傾斜面及び前記一対の下側傾斜面は、前記凸部の側面として形成されていることが望ましい。これにより、簡易な形状で、フェルールの上面及び下面にそれぞれ一対の傾斜面を形成することができる。
【００１６】
前記一対の上側傾斜面及び前記一対の下側傾斜面は、前記フェルールの鍔部に設けられていることが望ましい。これにより、フェルールの前側端面を通常の形状にすることができる。
【００１７】
光ファイバの端部を保持し、前側に押圧された状態で光コネクタのハウジングに後退可能に収容されるフェルールであって、上面に形成され、前記ハウジングの内壁面に接触する一対の上側傾斜面と、下面に形成され、前記ハウジングの内壁面に接触する一対の下側傾斜面と、を備え、前記一対の上側傾斜面は、どちらも前方向及び上方向を向いているとともに、幅方向には互いに逆方向を向いており、前記一対の下側傾斜面は、どちらも前方向及び下方向を向いているとともに、幅方向には互いに逆方向を向いていることを特徴とするフェルールが明らかとなる。このようなフェルールによれば、フェルールの後退時にはフェルールとハウジングとの間にあそびを設けつつ、コネクタ接続前には、フェルールをハウジングに対して所定位置に配置させることができる。
【００１８】
＝＝＝第１実施形態＝＝＝
＜全体構成＞
図１Ａは、第１実施形態の光コネクタ１の全体構成を示す斜視図である。図１Ｂは、図１Ａのハウジング３０とカップリング２５を透過させた説明図である。
【００１９】
以下の説明では、図に示すように各方向を定義する。すなわち、光コネクタ１の着脱方向を「前後方向」とし、相手側の光コネクタ１の側を「前」とし、逆側を「後」とする。また、フェルール１０の２つのガイドピン穴１１１の並ぶ方向を「左右方向」とし、後側から前側を見た時の右側を「右」、逆側を「左」とする。また、「前後方向」及び「左右方向」と直交する方向を「上下方向」とし、ハウジング３０のキー３１（突起部）の設けられた側を「上」とし、逆側を「下」とする。なお、左右方向のことを「幅方向」と呼び、上下方向のことを「厚さ方向」と呼ぶこともある。
【００２０】
第１実施形態の光コネクタ１は、いわゆるＭＰＯコネクタ（ＪＩＳ  Ｃ  ５９８２に規定されたＦ１３形多心光ファイバコネクタ）である。光コネクタ１は、フェルール１０と、ピンクランプ２１と、スプリング２２と、スプリングプッシュ２３と、ハウジング３０と、ブーツ２４と、カップリング２５とを有する。
【００２１】
フェルール１０は、光ファイバの端部を保持する部材である。フェルール１０の後側には鍔部１２が形成されている。鍔部１２は、本体部１１の外周面から外側に突出した部位である。フェルール１０（本体部１１及び鍔部１２）は、樹脂により一体成形されている。フェルール１０は、一対のガイドピン穴１１１と、複数の光ファイバ穴１１２とを有する。本実施形態のフェルール１０は、いわゆるＭＴフェルール（ＪＩＳ  Ｃ  ５９８１に規定されたＦ１２形多心光ファイバコネクタ）とほぼ同様の構成であり、ガイドピン穴１１１や光ファイバ穴１１２の寸法や位置関係は、規格で規定された通りである。各光ファイバ穴１１２には、それぞれ光ファイバ（裸ファイバ）が挿通されて固定されている。コネクタ接続時にフェルール同士が突き合わせられると、光ファイバ端面同士が物理的に突き合わせられて、光ファイバ同士が光接続することになる。フェルール１０には不図示の接着剤充填部が設けられており、接着剤充填部に充填された接着剤によって、光ファイバがフェルール１０に固定されている。なお、フェルール１０の外形形状については、後述する。
【００２２】
フェルール１０の後側にはピンクランプ２１が配置されており、フェルール１０は、ピンクランプ２１を介してスプリング２２から前側に押圧されている。フェルール１０の先端の一部がハウジング３０の先端から突き出るように、フェルール１０がハウジング３０に収容されている。また、フェルール１０は、ハウジング３０内で後退可能に収容されている。なお、フェルール１０とハウジング３０との関係については、後述する。
【００２３】
スプリング２２は、フェルール１０を前側に押圧する弾性部材である。スプリング２２は、圧縮変形させられた状態で、ピンクランプ２１とスプリングプッシュ２３との間に配置されている。スプリング２２の前側端部は、ピンクランプ２１と接触している。スプリング２２の後側端部はスプリングプッシュ２３と接触している。
【００２４】
スプリングプッシュ２３は、スプリング２２（弾性部材）の後端をハウジング３０に対して固定する受け部である。スプリングプッシュ２３は、一対の係合部２３１と、スプリング収容部２３２と、ブーツ固定部２３３とを有する。係合部２３１は、ハウジング３０に係合させる部位である。スプリング収容部２３２は、スプリング２２を収容する部位であり、一対の係合部２３１の間に設けられている。係合部２３１がハウジング３０に係合することによって、スプリングプッシュ２３がハウジング３０内で固定されるとともに、スプリング２２がピンクランプ２１とスプリングプッシュ２３との間で圧縮変形させられた状態でスプリング収容部２３２内に収容されるとともに、スプリング２２の力によってフェルール１０が前側へ押圧された状態でハウジング３０に収容されている。ブーツ固定部２３３は、ブーツ２４に固定される部位である。
【００２５】
ハウジング３０は、フェルール１０を後退可能に収容する部材である。ハウジング３０には、フェルール１０とともに、ピンクランプ２１、スプリング２２及びスプリングプッシュ２３が収容されている（図１Ｂ参照）。この収容空間の前側は開口しており、開口からフェルール１０の一部が前側に突出し、フェルール１０の前側端面１３が露出している。ハウジング３０の上面には、光コネクタ１の向きを特定するためのキー３１（突起部）が設けられている。なお、ハウジング３０の形状については、後述する。
【００２６】
ブーツ２４は、光ファイバを保護するための部材であり、ハウジング３０の後部に配置されている。ここでは、スプリングプッシュ２３のブーツ固定部２３３によってブーツ２４とスプリングプッシュ２３とが固定されている。ブーツ２４の後側から、複数の光ファイバを有する光ファイバテープ５が延び出ている。
【００２７】
カップリング２５は、ハウジング３０の外側に設けられた筒状の部材であり、ハウジング３０に対して前後方向にスライド可能である。光コネクタ１の抜去時に、ハウジング３０に対してカップリング２５を後側にスライドさせると、光コネクタ１のラッチ状態が解除され、光コネクタ１を抜去させることが可能となる。
【００２８】
＜フェルール１０とハウジング３０の形状＞
図２Ａは、光コネクタ１の先端部の斜視図である。図２Ａには、ハウジング３０の開口からフェルール１０の一部が前側に突出している様子が示されている。図２Ｂは、フェルール１０の斜視図である。図２Ｃは、ハウジング３０（及びカップリング２５）の先端部の斜視図である。
【００２９】
フェルール１０の上面１０Ａの前縁（上面１０Ａと前側端面１３との縁）には、上側凹部１５Ａが形成されている。上側凹部１５Ａは、上面１０Ａから凹んだ部位である。本実施形態では、上側凹部１５Ａは、後側ほど幅（左右方向の寸法）が狭まるように、形成されている。また、上側凹部１５Ａは、下側ほど幅（左右方向の寸法）が狭まるように、形成されている。上側凹部１５Ａは、ハウジング３０に設けられた上側凸部３３Ａと接触する（図２Ａ参照）。これにより、前側に押圧されているフェルール１０の前抜けが防止される。
【００３０】
フェルール１０の上側凹部１５Ａには、一対の上側傾斜面１４Ａが形成されている。第１実施形態のフェルール１０の上側傾斜面１４Ａは、上側凹部１５Ａを構成する左右の側面であり、傾斜面になっている。一対の上側傾斜面１４Ａは、どちらも前方向及び上方向を向くように傾斜している。言い換えると、一対の上側傾斜面１４Ａのそれぞれの法線ベクトルは、前方向成分及び上方向成分を有している。また、一対の上側傾斜面１４Ａは、互いに左右の逆方向を向くように傾斜している。つまり、一対の上側傾斜面１４Ａは、上側凹部１５Ａの内側を向くように傾斜している。具体的には、右側の上側傾斜面１４Ａは、左方向を向くように傾斜しており、左側の上側傾斜面１４Ａは、右方向を向くように傾斜している。言い換えると、一対の上側傾斜面１４Ａのそれぞれの法線ベクトルは、幅方向の成分が逆向きである。具体的には、右側の上側傾斜面１４Ａの法線ベクトルは左方向成分を有しており、左側の上側傾斜面１４Ａの法線ベクトルは右方向成分を有している。
【００３１】
フェルール１０の下面１０Ｂの前縁（下面１０Ｂと前側端面１３との縁）には、下側凹部１５Ｂが形成されている。下側凹部１５Ｂは、下面１０Ｂから凹んだ部位である。本実施形態では、下側凹部１５Ｂは、後側ほど幅（左右方向の寸法）が狭まるように、形成されている。また、下側凹部１５Ｂは、上側ほど幅（左右方向の寸法）が狭まるように、形成されている。下側凹部１５Ｂは、ハウジング３０に設けられた下側凸部３３Ｂ（図２Ｃ参照）と接触する。これにより、前側に押圧されているフェルール１０の前抜けが防止される。
【００３２】
フェルール１０の下側凹部１５Ｂには、一対の下側傾斜面１４Ｂが形成されている。第１実施形態のフェルール１０の下側傾斜面１４Ｂは、下側凹部１５Ｂを構成する左右の側面であり、傾斜面になっている。一対の下側傾斜面１４Ｂは、どちらも前方向及び下方向を向くように傾斜している。言い換えると、一対の下側傾斜面１４Ｂのそれぞれの法線ベクトルは、前方向成分及び下方向成分を有している。また、一対の下側傾斜面１４Ｂは、互いに左右の逆方向を向くように傾斜している。つまり、一対の下側傾斜面１４Ｂは、下側凹部１５Ｂの内側を向くように傾斜している。具体的には、右側の下側傾斜面１４Ｂは、左方向を向くように傾斜しており、左側の下側傾斜面１４Ｂは、右方向を向くように傾斜している。言い換えると、一対の下側傾斜面１４Ｂのそれぞれの法線ベクトルは、幅方向の成分が逆向きである。具体的には、右側の下側傾斜面１４Ｂの法線ベクトルは左方向成分を有しており、左側の下側傾斜面１４Ｂの法線ベクトルは右方向成分を有している。
【００３３】
ハウジング３０の上壁面３０Ａの前縁には、上側凸部３３Ａが形成されている。上側凸部３３Ａは、上壁面３０Ａから下側に突出した部位である。本実施形態では、上側凸部３３Ａは、後側ほど幅（左右方向の寸法）が狭まるように、形成されている。また、上側凸部３３Ａは、下側ほど幅（左右方向の寸法）が狭まるように、形成されている。上側凸部３３Ａは、フェルール１０に設けられた上側凹部１５Ａと接触する（図２Ａ参照）。これにより、前側に押圧されているフェルール１０の前抜けが防止される。
【００３４】
ハウジング３０の上側凸部３３Ａには、一対の上側傾斜面３２Ａが形成されている。第１実施形態のハウジング３０の上側傾斜面３２Ａは、上側凸部３３Ａの左右の側面であり、傾斜面になっている。一対の上側傾斜面３２Ａは、どちらも後方向及び下方向を向くように傾斜している。言い換えると、一対の上側傾斜面３２Ａのそれぞれの法線ベクトルは、後方向成分及び下方向成分を有している。また、一対の上側傾斜面３２Ａは、互いに左右の逆方向を向くように傾斜している。つまり、一対の上側傾斜面３２Ａは、上側凸部３３Ａの外側を向くように傾斜している。具体的には、右側の上側傾斜面３２Ａは、右方向を向くように傾斜しており、左側の上側傾斜面３２Ａは、左方向を向くように傾斜している。言い換えると、一対の上側傾斜面３２Ａのそれぞれの法線ベクトルは、幅方向の成分が逆向きである。具体的には、右側の上側傾斜面３２Ａの法線ベクトルは右方向成分を有しており、左側の上側傾斜面３２Ａの法線ベクトルは左方向成分を有している。
【００３５】
ハウジング３０の下壁面３０Ｂの前縁には、下側凸部３３Ｂが形成されている。下側凸部３３Ｂは、下壁面３０Ｂから下側に突出した部位である。本実施形態では、下側凸部３３Ｂは、後側ほど幅（左右方向の寸法）が狭まるように、形成されている。また、下側凸部３３Ｂは、上側ほど幅（左右方向の寸法）が狭まるように、形成されている。下側凸部３３Ｂは、フェルール１０に設けられた下側凹部１５Ｂと接触する。これにより、前側に押圧されているフェルール１０の前抜けが防止される。
【００３６】
ハウジング３０の下側凸部３３Ｂには、一対の下側傾斜面３２Ｂが形成されている。第１実施形態のハウジング３０の下側傾斜面３２Ｂは、下側凸部３３Ｂの左右の側面であり、傾斜面になっている。一対の下側傾斜面３２Ｂは、どちらも後方向及び上方向を向くように傾斜している。言い換えると、一対の下側傾斜面３２Ｂのそれぞれの法線ベクトルは、後方向成分及び上方向成分を有している。また、一対の下側傾斜面３２Ｂは、互いに左右の逆方向を向くように傾斜している。つまり、一対の下側傾斜面３２Ｂは、下側凸部３３Ｂの外側を向くように傾斜している。具体的には、右側の下側傾斜面３２Ｂは、右方向を向くように傾斜しており、左側の下側傾斜面３２Ｂは、左方向を向くように傾斜している。言い換えると、一対の下側傾斜面３２Ｂのそれぞれの法線ベクトルは、幅方向の成分が逆向きである。具体的には、右側の下側傾斜面３２Ｂの法線ベクトルは右方向成分を有しており、左側の下側傾斜面３２Ｂの法線ベクトルは左方向成分を有している。
【００３７】
図３Ａは、コネクタ接続前のハウジング３０内のフェルール１０の概略説明図である。図３Ａの上図は、幅方向から見た概略説明図である。図３Ａの下図は、厚さ方向から見た概略説明図である。なお、図３Ａの上図は、下図のＢ−Ｂ断面における概略説明図である。また、図３Ａの下図は、上図のＡ−Ａ断面における概略説明図である。図３Ａに示すように、コネクタ接続前の段階では、フェルール１０は、スプリング２２によって前側に押圧されることによって、フェルール１０の上側凹部１５Ａの上側傾斜面１４Ａは、ハウジング３０の上側凸部３３Ａの上側傾斜面３２Ａと接触するとともに、フェルール１０の下側凹部１５Ｂの下側傾斜面１４Ｂは、ハウジング３０の下側凸部３３Ｂの下側傾斜面３２Ｂと接触する。
【００３８】
図３Ａの上図に示すように、コネクタ接続前の段階では、前側に押圧されているフェルール１０の上側傾斜面１４Ａは、ハウジング３０の上側凸部３３Ａから下向きの力を受けることになる。一方、前側に押圧されているフェルール１０の下側傾斜面１４Ｂは、ハウジング３０の下側凸部３３Ｂから上向きの力を受けることになる。つまり、フェルール１０は、上面１０Ａではハウジング３０から下向きの力を受けつつ、下面１０Ｂではハウジング３０から上向きの力を受けることになる。この結果、コネクタ接続前の段階では、フェルール１０は、ハウジング３０に対して上下方向のあそび（間隙）が無い状態で、ハウジング３０に対して上下方向の中央に位置することができる。
【００３９】
また、図３Ａの下図に示すように、コネクタ接続前の段階では、前側に押圧されているフェルール１０の右側の上側傾斜面１４Ａ（又は下側傾斜面１４Ｂ）は、ハウジング３０の上側凸部３３Ａ（又は下側凸部３３Ｂ）から右向きの力を受けることになる。一方、前側に押圧されているフェルール１０の左側の上側傾斜面１４Ａ（又は下側傾斜面１４Ｂ）は、ハウジング３０の上側凸部３３Ａ（又は下側凸部３３Ｂ）から左向きの力を受けることになる。つまり、フェルール１０は、上側凸部３３Ａ（又は下側凸部３３Ｂ）の左右の側面からそれぞれ逆方向の力を受けることになる。この結果、コネクタ接続前の段階では、フェルール１０は、ハウジング３０に対して左右方向のあそびが無い状態で、ハウジング３０に対して幅方向の中央に位置することができる。
【００４０】
このように、コネクタ接続前の段階では、フェルール１０は、ハウジング３０に対して上下方向及び左右方向（前後方向に垂直な方向）のあそびが無い状態で、ハウジング３０に対して所定の位置（前後方向に垂直な方向の所定位置）に配置されることなる。これにより、光コネクタ同士を接続させる際に、不図示のガイドピンがガイドピン穴１１１に嵌合しやすいため、ガイドピンによってフェルール１０の前側端面１３が傷つくことを抑制できる。
【００４１】
図３Ｂは、コネクタ接続時のハウジング３０内のフェルール１０の概略説明図である。コネクタ接続時には、フェルール１０は、相手側の光コネクタのフェルール（図中の点線）から力を受けて、ハウジング３０に対して後退することになる。これにより、図３Ｂに示すように、フェルール１０の上側凹部１５Ａの上側傾斜面１４Ａは、ハウジング３０の上側凸部３３Ａの上側傾斜面３２Ａと非接触になるとともに、フェルール１０の下側凹部１５Ｂの下側傾斜面１４Ｂは、ハウジング３０の下側凸部３３Ｂの下側傾斜面３２Ｂと非接触になる。この結果、図３Ｂに示すように、フェルール１０とハウジング３０との間に、上下方向及び左右方向（前後方向に垂直な方向）にあそびが形成され、フェルール１０の上下方向及び左右方向への移動を許容する余裕ができ、フェルール１０の前側端面１３同士を突き合わせた状態を維持できる。
【００４２】
＝＝＝第２実施形態＝＝＝
図４Ａは、第２実施形態のフェルール１０とハウジング３０の斜視図である。
【００４３】
第２実施形態では、フェルール１０の上面１０Ａの前縁には、左右外側にそれぞれ凹部が形成されることによって、中央部に凸状の上側凸部１６Ａが形成されている。フェルール１０の上側凸部１６Ａは、フェルール１０の上面１０Ａにおいて上側に突出した部位である。本実施形態では、上側凸部１６Ａは、後側ほど幅（左右方向の寸法）が広がるように、形成されている。また、上側凸部１６Ａは、下側ほど幅（左右方向の寸法）が広がるように、形成されている。上側凸部１６Ａは、ハウジング３０に設けられた上側凹部３４Ａと接触する。これにより、前側に押圧されているフェルール１０の前抜けが防止される。
【００４４】
フェルール１０の上側凸部１６Ａには、一対の上側傾斜面１４Ａが形成されている。第２実施形態のフェルール１０の上側傾斜面１４Ａは、上側凸部１６Ａの左右の側面であり、傾斜面になっている。一対の上側傾斜面１４Ａは、どちらも前方向及び上方向を向くように傾斜している。言い換えると、一対の上側傾斜面１４Ａのそれぞれの法線ベクトルは、前方向成分及び上方向成分を有している。また、一対の上側傾斜面１４Ａは、互いに左右の逆方向を向くように傾斜している。つまり、一対の上側傾斜面１４Ａは、上側凸部１６Ａの外側を向くように傾斜している。具体的には、右側の上側傾斜面１４Ａは、右方向を向くように傾斜しており、左側の上側傾斜面１４Ａは、左方向を向くように傾斜している。言い換えると、一対の上側傾斜面１４Ａのそれぞれの法線ベクトルは、幅方向の成分が逆向きである。具体的には、右側の上側傾斜面１４Ａの法線ベクトルは右方向成分を有しており、左側の上側傾斜面１４Ａの法線ベクトルは左方向成分を有している。
【００４５】
フェルール１０の下面１０Ｂの前縁（下面１０Ｂと前側端面１３との縁）には、左右外側にそれぞれ凹部が形成されることによって、中央部に凸状の下側凸部１６Ｂが形成されている。フェルール１０の下側凸部１６Ｂは、フェルール１０の下面１０Ｂにおいて下側に突出した部位である。本実施形態では、下側凸部１６Ｂは、後側ほど幅（左右方向の寸法）が広がるように、形成されている。また、下側凸部１６Ｂは、上側ほど幅（左右方向の寸法）が広がるように、形成されている。下側凸部１６Ｂは、ハウジング３０に設けられた下側凹部３４Ｂと接触する。これにより、前側に押圧されているフェルール１０の前抜けが防止される。
【００４６】
フェルール１０の下側凸部１６Ｂには、一対の下側傾斜面１４Ｂが形成されている。第２実施形態のフェルール１０の下側傾斜面１４Ｂは、下側凸部１６Ｂの左右の側面であり、傾斜面になっている。一対の下側傾斜面１４Ｂは、どちらも前方向及び上方向を向くように傾斜している。言い換えると、一対の下側傾斜面１４Ｂのそれぞれの法線ベクトルは、前方向成分及び上方向成分を有している。また、一対の下側傾斜面１４Ｂは、互いに左右の逆方向を向くように傾斜している。つまり、一対の下側傾斜面１４Ｂは、下側凸部１６Ｂの外側を向くように傾斜している。具体的には、右側の下側傾斜面１４Ｂは、右方向を向くように傾斜しており、左側の下側傾斜面１４Ｂは、左方向を向くように傾斜している。言い換えると、一対の下側傾斜面１４Ｂのそれぞれの法線ベクトルは、幅方向の成分が逆向きである。具体的には、右側の下側傾斜面１４Ｂの法線ベクトルは右方向成分を有しており、左側の下側傾斜面１４Ｂの法線ベクトルは左方向成分を有している。
【００４７】
ハウジング３０の上壁面３０Ａの前縁には、上側凹部３４Ａが形成されている。上側凹部３４Ａは、上壁面３０Ａから上側に凹んだ部位である。本実施形態では、上側凹部３４Ａは、後側ほど幅（左右方向の寸法）が広がるように、形成されている。また、上側凹部３４Ａは、下側ほど幅（左右方向の寸法）が広がるように、形成されている。上側凹部３４Ａは、フェルール１０に設けられた上側凸部１６Ａと接触する。これにより、前側に押圧されているフェルール１０の前抜けが防止される。
【００４８】
ハウジング３０の上側凹部３４Ａには、一対の上側傾斜面３２Ａが形成されている。第２実施形態のハウジング３０の上側傾斜面３２Ａは、上側凹部３４Ａを構成する左右の側面であり、傾斜面になっている。一対の上側傾斜面３２Ａは、どちらも後方向及び下方向を向くように傾斜している。言い換えると、一対の上側傾斜面３２Ａのそれぞれの法線ベクトルは、後方向成分及び下方向成分を有している。また、一対の上側傾斜面３２Ａは、互いに左右の逆方向を向くように傾斜している。つまり、一対の上側傾斜面３２Ａは、上側凹部３４Ａの内側を向くように傾斜している。具体的には、右側の上側傾斜面３２Ａは、左方向を向くように傾斜しており、左側の上側傾斜面３２Ａは、右方向を向くように傾斜している。言い換えると、一対の上側傾斜面３２Ａのそれぞれの法線ベクトルは、幅方向の成分が逆向きである。具体的には、右側の上側傾斜面３２Ａの法線ベクトルは左方向成分を有しており、左側の上側傾斜面３２Ａの法線ベクトルは右方向成分を有している。
【００４９】
ハウジング３０の下壁面３０Ｂの前縁には、下側凹部３４Ｂが形成されている。下側凹部３４Ｂは、下壁面３０Ｂから下側に凹んだ部位である。本実施形態では、下側凹部３４Ｂは、後側ほど幅（左右方向の寸法）が広がるように、形成されている。また、下側凹部３４Ｂは、上側ほど幅（左右方向の寸法）が広がるように、形成されている。下側凹部３４Ｂは、フェルール１０に設けられた下側凸部１６Ｂと接触する。これにより、前側に押圧されているフェルール１０の前抜けが防止される。
【００５０】
ハウジング３０の下側凹部３４Ｂには、一対の下側傾斜面３２Ｂが形成されている。第２実施形態のハウジング３０の下側傾斜面３２Ｂは、下側凹部３４Ｂを構成する左右の側面であり、傾斜面になっている。一対の下側傾斜面３２Ｂは、どちらも後方向及び上方向を向くように傾斜している。言い換えると、一対の下側傾斜面３２Ｂのそれぞれの法線ベクトルは、後方向成分及び上方向成分を有している。また、一対の下側傾斜面３２Ｂは、互いに左右の逆方向を向くように傾斜している。つまり、一対の下側傾斜面３２Ｂは、下側凹部３４Ｂの内側を向くように傾斜している。具体的には、右側の下側傾斜面３２Ｂは、左方向を向くように傾斜しており、左側の下側傾斜面３２Ｂは、右方向を向くように傾斜している。言い換えると、一対の下側傾斜面３２Ｂのそれぞれの法線ベクトルは、幅方向の成分が逆向きである。具体的には、右側の下側傾斜面３２Ｂの法線ベクトルは左方向成分を有しており、左側の下側傾斜面３２Ｂの法線ベクトルは右方向成分を有している。
【００５１】
第２実施形態では、コネクタ接続前の段階では、フェルール１０は、スプリング２２によって前側に押圧されることによって、フェルール１０の上側凸部１６Ａの上側傾斜面１４Ａは、ハウジング３０の上側凹部３４Ａの上側傾斜面３２Ａと接触するとともに、フェルール１０の下側凸部１６Ｂの下側傾斜面１４Ｂは、ハウジング３０の下側凹部３４Ｂの下側傾斜面３２Ｂと接触する。これにより、フェルール１０は、上面１０Ａではハウジング３０から下向きの力を受けつつ、下面１０Ｂではハウジング３０から上向きの力を受けることになる。この結果、コネクタ接続前の段階では、フェルール１０は、ハウジング３０に対して上下方向のあそびが無い状態で、ハウジング３０に対して上下方向の中央に位置することができる。
【００５２】
また、第２実施形態では、コネクタ接続前の段階では、前側に押圧されているフェルール１０の右側の上側傾斜面１４Ａ（又は下側傾斜面１４Ｂ）は、ハウジング３０の上側凹部３４Ａ（又は下側凹部３４Ｂ）から左向きの力を受けることになる。一方、前側に押圧されているフェルール１０の左側の上側傾斜面１４Ａ（又は下側傾斜面１４Ｂ）は、ハウジング３０の上側凹部３４Ａ（又は下側凹部３４Ｂ）から右向きの力を受けることになる。つまり、フェルール１０は、上側凹部３４Ａ（又は下側凹部３４Ｂ）の左右の側面からそれぞれ逆方向の力を受けることになる。この結果、コネクタ接続前の段階では、フェルール１０は、ハウジング３０に対して左右方向のあそびが無い状態で、ハウジング３０に対して幅方向の中央に位置することができる。
【００５３】
このように、第２実施形態においても、コネクタ接続前の段階では、フェルール１０は、ハウジング３０に対して上下方向及び左右方向（前後方向に垂直な方向）のあそびが無い状態で、ハウジング３０に対して所定の位置（前後方向に垂直な方向の所定位置）に配置されることなる。これにより、光コネクタ同士を接続させる際に、不図示のガイドピンがガイドピン穴１１１に嵌合しやすいため、ガイドピンによってフェルール１０の前側端面１３が傷つくことを抑制できる。
【００５４】
また、第２実施形態では、コネクタ接続時にフェルール１０がハウジング３０に対して後退すると、フェルール１０の上側凸部１６Ａの上側傾斜面１４Ａは、ハウジング３０の上側凹部３４Ａの上側傾斜面３２Ａと非接触になるとともに、フェルール１０の下側凸部１６Ｂの下側傾斜面１４Ｂは、ハウジング３０の下側凹部３４Ｂの下側傾斜面３２Ｂと非接触になる。この結果、フェルール１０とハウジング３０との間に、上下方向及び左右方向（前後方向に垂直な方向）にあそびが形成され、フェルール１０の上下方向及び左右方向への移動を許容する余裕ができ、フェルール１０の前側端面１３同士を突き合わせた状態を維持できる。
【００５５】
＝＝＝第３実施形態＝＝＝
図４Ｂは、第３実施形態のフェルール１０とハウジング３０の斜視図である。
【００５６】
第３実施形態では、第１実施形態と同様に、フェルール１０の上面１０Ａに上側凹部１５Ａが形成されており、フェルール１０の下面１０Ｂに下側凹部１５Ｂ（不図示）が形成されている。第１実施形態では、上側凹部１５Ａ及び下側凹部１５Ｂはフェルール１０の前縁に設けられていたのに対し、第３実施形態では、上側凹部１５Ａ及び下側凹部１５Ｂは、フェルール１０の鍔部１２に設けられている。
【００５７】
また、第３実施形態では、第１実施形態と同様に、ハウジング３０の上壁面３０Ａに上側凸部３３Ａが形成されており、ハウジング３０の下壁面３０Ｂに下側凸部３３Ｂが形成されている。第１実施形態では、上側凸部３３Ａ及び下側凸部３３Ｂはハウジング３０の前縁に設けられていたのに対し、第３実施形態では、上側凸部３３Ａ及び下側凸部３３Ｂは、フェルール１０の鍔部１２に対応する位置に設けられている。
【００５８】
第３実施形態においても、コネクタ接続前の段階では、フェルール１０は、スプリング２２によって前側に押圧されることによって、フェルール１０の上側凹部１５Ａの上側傾斜面１４Ａは、ハウジング３０の上側凸部３３Ａの上側傾斜面３２Ａと接触するとともに、フェルール１０の下側凹部１５Ｂの下側傾斜面１４Ｂは、ハウジング３０の下側凸部３３Ｂの下側傾斜面３２Ｂと接触する。これにより、フェルール１０は、上面１０Ａではハウジング３０から下向きの力を受けつつ、下面１０Ｂではハウジング３０から上向きの力を受けることになる。この結果、コネクタ接続前の段階では、フェルール１０は、ハウジング３０に対して上下方向のあそびが無い状態で、ハウジング３０に対して上下方向の中央に位置することができる。
【００５９】
また、第３実施形態においても、コネクタ接続前の段階では、前側に押圧されているフェルール１０の右側の上側傾斜面１４Ａ（又は下側傾斜面１４Ｂ）は、ハウジング３０の上側凸部３３Ａ（又は下側凸部３３Ｂ）から右向きの力を受けることになる。一方、前側に押圧されているフェルール１０の左側の上側傾斜面１４Ａ（又は下側傾斜面１４Ｂ）は、ハウジング３０の上側凸部３３Ａ（又は下側凸部３３Ｂ）から左向きの力を受けることになる。つまり、フェルール１０は、上側凸部３３Ａ（又は下側凸部３３Ｂ）の左右の側面からそれぞれ逆方向の力を受けることになる。この結果、コネクタ接続前の段階では、フェルール１０は、ハウジング３０に対して左右方向のあそびが無い状態で、ハウジング３０に対して幅方向の中央に位置することができる。
【００６０】
このように、第３実施形態においても、コネクタ接続前の段階では、フェルール１０は、ハウジング３０に対して上下方向及び左右方向（前後方向に垂直な方向）のあそびが無い状態で、ハウジング３０に対して所定の位置（前後方向に垂直な方向の所定位置）に配置されることなる。これにより、光コネクタ同士を接続させる際に、不図示のガイドピンがガイドピン穴１１１に嵌合しやすいため、ガイドピンによってフェルール１０の前側端面１３が傷つくことを抑制できる。
【００６１】
また、第３実施形態においても、コネクタ接続時にフェルール１０がハウジング３０に対して後退すると、フェルール１０の上側凹部１５Ａの上側傾斜面１４Ａは、ハウジング３０の上側凸部３３Ａの上側傾斜面３２Ａと非接触になるとともに、フェルール１０の下側凹部１５Ｂの下側傾斜面１４Ｂは、ハウジング３０の下側凸部３３Ｂの下側傾斜面３２Ｂと非接触になる。この結果、フェルール１０とハウジング３０との間に、上下方向及び左右方向（前後方向に垂直な方向）にあそびが形成され、フェルール１０の上下方向及び左右方向への移動を許容する余裕ができ、フェルール１０の前側端面１３同士を突き合わせた状態を維持できる。
【００６２】
＝＝＝第４実施形態＝＝＝
図４Ｃは、第４実施形態のフェルール１０とハウジング３０の斜視図である。
【００６３】
第４実施形態では、第２実施形態と同様に、フェルール１０の上面１０Ａに上側凸部１６Ａが形成されており、フェルール１０の下面１０Ｂに下側凸部１６Ｂ（不図示）が形成されている。第２実施形態では、上側凸部１６Ａ及び下側凸部１６Ｂはフェルール１０の前縁に設けられていたのに対し、第４実施形態では、上側凸部１６Ａ及び下側凸部１６Ｂは、フェルール１０の鍔部１２に設けられている。
【００６４】
また、第４実施形態では、第２実施形態と同様に、ハウジング３０の上壁面３０Ａに上側凹部３４Ａが形成されており、ハウジング３０の下壁面３０Ｂに下側凹部３４Ｂが形成されている。第２実施形態では、上側凹部３４Ａ及び下側凹部３４Ｂはハウジング３０の前縁に設けられていたのに対し、第４実施形態では、上側凹部３４Ａ及び下側凹部３４Ｂは、フェルール１０の鍔部１２に対応する位置に設けられている。
【００６５】
第４実施形態においても、コネクタ接続前の段階では、フェルール１０は、スプリング２２によって前側に押圧されることによって、フェルール１０の上側凸部１６Ａの上側傾斜面１４Ａは、ハウジング３０の上側凹部３４Ａの上側傾斜面３２Ａと接触するとともに、フェルール１０の下側凸部１６Ｂの下側傾斜面１４Ｂは、ハウジング３０の下側凹部３４Ｂの下側傾斜面３２Ｂと接触する。これにより、フェルール１０は、上面１０Ａではハウジング３０から下向きの力を受けつつ、下面１０Ｂではハウジング３０から上向きの力を受けることになる。この結果、コネクタ接続前の段階では、フェルール１０は、ハウジング３０に対して上下方向のあそびが無い状態で、ハウジング３０に対して上下方向の中央に位置することができる。
【００６６】
また、第４実施形態においても、コネクタ接続前の段階では、前側に押圧されているフェルール１０の右側の上側傾斜面１４Ａ（又は下側傾斜面１４Ｂ）は、ハウジング３０の上側凹部３４Ａ（又は下側凹部３４Ｂ）から左向きの力を受けることになる。一方、前側に押圧されているフェルール１０の左側の上側傾斜面１４Ａ（又は下側傾斜面１４Ｂ）は、ハウジング３０の上側凹部３４Ａ（又は下側凹部３４Ｂ）から右向きの力を受けることになる。つまり、フェルール１０は、上側凹部３４Ａ（又は下側凹部３４Ｂ）の左右の側面からそれぞれ逆方向の力を受けることになる。この結果、コネクタ接続前の段階では、フェルール１０は、ハウジング３０に対して左右方向のあそびが無い状態で、ハウジング３０に対して幅方向の中央に位置することができる。
【００６７】
このように、第４実施形態においても、コネクタ接続前の段階では、フェルール１０は、ハウジング３０に対して上下方向及び左右方向（前後方向に垂直な方向）のあそびが無い状態で、ハウジング３０に対して所定の位置（前後方向に垂直な方向の所定位置）に配置されることなる。これにより、光コネクタ同士を接続させる際に、不図示のガイドピンがガイドピン穴１１１に嵌合しやすいため、ガイドピンによってフェルール１０の前側端面１３が傷つくことを抑制できる。
【００６８】
また、第４実施形態では、コネクタ接続時にフェルール１０がハウジング３０に対して後退すると、フェルール１０の上側凸部１６Ａの上側傾斜面１４Ａは、ハウジング３０の上側凹部３４Ａの上側傾斜面３２Ａと非接触になるとともに、フェルール１０の下側凸部１６Ｂの下側傾斜面１４Ｂは、ハウジング３０の下側凹部３４Ｂの下側傾斜面３２Ｂと非接触になる。この結果、フェルール１０とハウジング３０との間に、上下方向及び左右方向（前後方向に垂直な方向）にあそびが形成され、フェルール１０の上下方向及び左右方向への移動を許容する余裕ができ、フェルール１０の前側端面１３同士を突き合わせた状態を維持できる。
【００６９】
＝＝＝小括＝＝＝
上記の第１〜第４実施形態の光コネクタ１は、フェルール１０とハウジング３０とを備えており、フェルール１０は、ハウジング３０に後退可能に収容されている。第１〜第４実施形態のフェルール１０の上面１０Ａには一対の上側傾斜面１４Ａが形成されており、一対の上側傾斜面１４Ａは、どちらも前方向及び上方向を向くように傾斜しているとともに、幅方向には互いに逆方向を向いている。一方、フェルール１０の下面１０Ｂには一対の下側傾斜面１４Ｂが形成されており、一対の下側傾斜面１４Ｂは、どちらも前方向及び下方向を向くように傾斜しているとともに、幅方向には互いに逆方向を向いている。このようなフェルール１０の構成により、フェルール１０が前側に押圧された状態でハウジング３０の内壁面に形成された傾斜面（上側傾斜面３２Ａ及び下側傾斜面３２Ｂ）に接触すると、フェルール１０は、ハウジング３０に対して上下方向及び幅方向のあそびが無い状態で、ハウジング３０に対して上下方向及び幅方向の所定位置に配置される（図３Ａの上図及び下図参照）。一方、コネクタ接続時にフェルール１０がハウジング３０に対して後退すると、フェルール１０とハウジング３０との間に、上下方向及び左右方向（前後方向に垂直な方向）にあそびが形成され、フェルール１０の上下方向及び左右方向への移動を許容する余裕ができ、フェルール１０の前側端面１３同士を突き合わせた状態を維持できる（図３Ｂの上図及び下図参照）。このように、上記の第１〜第４実施形態の光コネクタ１によれば、フェルール１０の後退時にはフェルール１０とハウジング３０との間にあそびを設けつつ、コネクタ接続前には、フェルール１０をハウジング３０に対して所定位置に配置させることができる。
なお、上記の第１〜第４実施形態では、フェルール１０のそれぞれの傾斜面（上側傾斜面１４Ａや下側傾斜面１４Ｂ）は、上下方向の位置合わせに用いられるとともに、幅方向の位置合わせにも用いられている。このため、上下方向の位置合わせのための傾斜面と幅方向の位置合わせの位置合わせのための傾斜面をそれぞれ別々にフェルールに形成する場合と比べて、フェルール１０の小型化を図ることができる。
【００７０】
上記の第１、第２実施形態の光コネクタ１は、フェルール１０の一対の上側傾斜面１４Ａ及び一対の下側傾斜面１４Ｂは、フェルール１０の前縁に設けられている。このため、第１、第２実施形態の光コネクタ１は、第３、第４実施形態のように鍔部１２に上側傾斜面１４Ａ及び下側傾斜面１４Ｂを設けた場合と比べて、上側傾斜面１４Ａ及び下側傾斜面１４Ｂをフェルール１０の前側端面１３の近くに配置することができるため、コネクタ接続前には、フェルール１０の前側端面１３を所定位置に配置させやすくなる。
【００７１】
上記の第１、第３実施形態の光コネクタ１では、フェルール１０の上面１０Ａに上側凹部１５Ａが形成され、一対の上側傾斜面１４Ａは、上側凹部１５Ａを構成する側面として形成されているとともに、フェルール１０の下面１０Ｂに下側凹部１５Ｂが形成され、一対の下側傾斜面１４Ｂは、下側凹部１５Ｂを構成する側面として形成されている。これにより、簡易な形状で、フェルール１０の上面１０Ａ及び下面１０Ｂにそれぞれ一対の傾斜面を形成することができる。
【００７２】
上記の第１実施形態の光コネクタ１では、フェルール１０の前縁に設けられた上側凹部１５Ａ及び下側凹部１５Ｂの幅方向の位置は、一対のガイドピン穴１１１の間になっている。これにより、光ファイバ穴１１２の上下に上側凹部１５Ａ及び下側凹部１５Ｂが配置されるため、ガイドピン穴１１１の上下に上側凹部及び下側凹部が配置される場合と比べて、フェルール１０の厚さ方向の寸法を抑制できる。
【００７３】
上記の第２、第４実施形態の光コネクタ１では、フェルール１０の上面１０Ａに上側凸部１６Ａが形成され、一対の上側傾斜面１４Ａは、上側凸部１６Ａの側面として形成されているとともに、フェルール１０の下面１０Ｂに下側凸部１６Ｂが形成され、一対の下側傾斜面１４Ｂは、下側凸部１６Ｂの側面として形成されている。これにより、簡易な形状で、フェルール１０の上面及び下面にそれぞれ一対の傾斜面を形成することができる。
【００７４】
上記の第３、第４実施形態の光コネクタでは、フェルール１０の一対の上側傾斜面１４Ａ及び一対の下側傾斜面１４Ｂは、フェルール１０の鍔部１２に設けられている。これにより、フェルール１０の本体に凹部や凸部を形成せずに済むため、フェルール１０の前側端面１３を通常の形状にすることができる。
【００７５】
＝＝＝その他の実施形態＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【符号の説明】
【００７６】
１  光コネクタ、５  光ファイバテープ、
１０  フェルール、１１  本体部、
１１１  ガイドピン穴、１１２  光ファイバ穴、
１２  鍔部、１３  前側端面、
１０Ａ  上面、１０Ｂ  下面、
１４Ａ  上側傾斜面、１４Ｂ  下側傾斜面、
１５Ａ  上側凹部（第１、第３実施形態）、１５Ｂ  下側凹部（第１、第３実施形態）、
１６Ａ  上側凸部（第２、第４実施形態）、１６Ｂ  下側凸部（第２、第４実施形態）、
２１  ピンクランプ、２２  スプリング、
２３  スプリングプッシュ、２３１  係合部、
２３２  スプリング収容部、２３３  ブーツ固定部、
２４  ブーツ、２５  カップリング、
３０  ハウジング、３１  キー（突起部）、
３０Ａ  上壁面、３０Ｂ  下壁面、
３２Ａ  上側傾斜面、３２Ｂ  下側傾斜面、
３３Ａ  上側凸部（第１、第３実施形態）、３３Ｂ  下側凸部（第１、第３実施形態）、
３４Ａ  上側凹部（第２、第４実施形態）、３４Ｂ  下側凹部（第２、第４実施形態）、
【図１】
2019066723.tif 000003
【図２】
2019066723.tif 000004
【図３】
2019066723.tif 000005
【図４】
2019066723.tif 000006